(57)【要約】【課題】ラジオ放送からＩＰラジオ放送に、出力する音声をシームレスに切り替える際に、ＩＰラジオ放送の受信開始時点を適切に設定できる「ラジオ放送受信装置及びシームレス切替方法」を提供する。【解決手段】制御部１０７は、カウンタ値を、当該時点の受信品質が含まれる受信品質の範囲を表す品質レンジに登録されているレンジ評価値に近づくように、受信品質が含まれる受信品質の範囲を表す品質レンジに応じた更新ステップ（増加ステップ、または、減少ステップ）で更新する。ここで、品質レンジは、より小さい受信品質の範囲を表す品質レンジほど、より小さい数値とする。そして、制御部１０７は、カウンタ値が所定のしきい値未満となったならば、ＩＰラジオ放送の受信の開始を制御する。【選択図】図３
2018198411.tif 000002
【特許請求の範囲】
【請求項１】
ラジオ放送と、当該ラジオ放送とサイマル放送の関係にあるＩＰラジオ放送とを受信可能なラジオ放送受信装置であって、
前記ラジオ放送を受信するラジオ受信部と、
前記ＩＰラジオ放送を受信するＩＰラジオプレイヤと、
前記ラジオ受信部の受信音声と前記ＩＰラジオプレイヤの受信音声とのうちの一方の受信音声を出力する出力手段と、
前記出力手段が出力する前記ラジオ受信部の受信音声を遅延する遅延手段と、
良否の度合いを表す評価値を算定する評価値算定手段と、
前記出力手段が前記ラジオ受信部の受信音声を出力している期間中に、前記評価値が、所定の程度より良否の度合いが悪いことを表すようになったときに、前記ＩＰラジオプレイヤに、受信音声を出力しているラジオ放送とサイマル放送の関係にあるＩＰラジオ放送の受信を開始させ、前記遅延手段に、前記ラジオ放送に対する前記ＩＰラジオ放送の遅延時間分、前記出力手段が出力する前記ラジオ受信部の受信音声を遅延させた上で、前記出力手段に、出力する受信音声を、前記ラジオ受信部の受信音声から、前記ＩＰラジオプレイヤの受信音声に切り替えさせるシームレス切替制御手段とを有し、
前記評価値算定手段は、各時点において、受信品質のレベルと複数の基準値との所定の対応関係に従って、当該時点における前記ラジオ受信部の前記ラジオ放送の受信品質のレベルである現在受信品質レベルに対応する基準値である現用基準値に近づく方向に前記評価値を所定の更新量、変化させることにより、当該評価値を算定し、
前記基準値は特定の良否の度合いを表すものであり、前記所定の対応関係は、より良い受信品質のレベルが、より良い良否の度合いを表す基準値に対応する関係であることを特徴とするラジオ放送受信装置。
【請求項２】
請求項１記載のラジオ放送受信装置であって、
前記評価値が前記現用基準値より、より良い良否の度合いを表している場合に、前記評価値算定手段は、現在受信品質レベルが、より受信品質が悪いレベルであるほど、より大きく前記評価値が変化するように定まる更新量を、前記評価値の算定に用い、
前記評価値が前記現用基準値より、より悪い良否の度合いを表している場合に、前記評価値算定手段は、現在受信品質レベルが、より受信品質が良いレベルであるほど、より大きく前記評価値が変化するように定まる更新量を、前記評価値の算定に用いることを特徴とするラジオ放送受信装置。
【請求項３】
ラジオ放送と、当該ラジオ放送とサイマル放送の関係にあるＩＰラジオ放送とを受信可能なラジオ放送受信装置であって、
前記ラジオ放送を受信するラジオ受信部と、
前記ＩＰラジオ放送を受信するＩＰラジオプレイヤと、
前記ラジオ受信部の受信音声と前記ＩＰラジオプレイヤの受信音声とのうちの一方の受信音声を出力する出力手段と、
前記出力手段が出力する前記ラジオ受信部の受信音声を遅延する遅延手段と、
評価値を算定する評価値算定手段と、
前記出力手段が前記ラジオ受信部の受信音声を出力している期間中に、前記評価値が、所定のしきい値より小さくなったときに、前記ＩＰラジオプレイヤに、受信音声を出力しているラジオ放送とサイマル放送の関係にあるＩＰラジオ放送の受信を開始させ、前記遅延手段に、前記ラジオ放送に対する前記ＩＰラジオ放送の遅延時間分、前記出力手段が出力する前記ラジオ受信部の受信音声を遅延させた上で、前記出力手段に、出力する受信音声を、前記ラジオ受信部の受信音声から、前記ＩＰラジオプレイヤの受信音声に切り替えさせるシームレス切替制御手段とを有し、
前記評価値算定手段は、各時点において、受信品質の範囲と複数の基準値との所定の対応関係に従って、前記評価値を、当該時点における前記ラジオ受信部の前記ラジオ放送の受信品質が含まれる受信品質の範囲である現在受信品質範囲に対応する基準値である現用基準値に近づく方向に当該評価値を所定の更新量、変化させることにより、当該評価値を算定し、
前記所定の対応関係は、より良い受信品質の範囲が、より大きい基準値に対応する関係であることを特徴とするラジオ放送受信装置。
【請求項４】
請求項３記載のラジオ放送受信装置であって、
前記評価値が前記現用基準値より大きい場合に、前記評価値算定手段は、現在受信品質範囲が、より受信品質が悪い範囲であるほど、より大きく前記評価値が減少するように定まる更新量を、前記評価値の算定に用い、
前記評価値が前記現用基準値より小さい場合に、前記評価値算定手段は、現在受信品質範囲が、より受信品質が良い範囲であるほど、より大きく前記評価値が増加するように定まる更新量を、前記評価値の算定に用いることを特徴とするラジオ放送受信装置。
【請求項５】
ラジオ放送と、当該ラジオ放送とサイマル放送の関係にあるＩＰラジオ放送とを受信可能なラジオ放送受信装置であって、
前記ラジオ放送を受信するラジオ受信部と、
前記ＩＰラジオ放送を受信するＩＰラジオプレイヤと、
前記ラジオ受信部の受信音声と前記ＩＰラジオプレイヤの受信音声とのうちの一方の受信音声を出力する出力手段と、
前記出力手段が出力する前記ラジオ受信部の受信音声を遅延する遅延手段と、
評価値を算定する評価値算定手段と、
前記出力手段が前記ラジオ受信部の受信音声を出力している期間中に、前記評価値が、所定のしきい値より大きくなったときに、前記ＩＰラジオプレイヤに、受信音声を出力しているラジオ放送とサイマル放送の関係にあるＩＰラジオ放送の受信を開始させ、前記遅延手段に、前記ラジオ放送に対する前記ＩＰラジオ放送の遅延時間分、前記出力手段が出力する前記ラジオ受信部の受信音声を遅延させた上で、前記出力手段に、出力する受信音声を、前記ラジオ受信部の受信音声から、前記ＩＰラジオプレイヤの受信音声に切り替えさせるシームレス切替制御手段とを有し、
前記評価値算定手段は、各時点において、受信品質の範囲と複数の基準値との所定の対応関係に従って、前記評価値を、当該時点における前記ラジオ受信部の前記ラジオ放送の受信品質が含まれる受信品質の範囲である現在受信品質範囲に対応する基準値である現用基準値に近づく方向に当該評価値を所定の更新量、変化させることにより、当該評価値を算定し、
前記所定の対応関係は、より良い受信品質の範囲が、より小さい基準値に対応する関係であることを特徴とするラジオ放送受信装置。
【請求項６】
請求項５記載のラジオ放送受信装置であって、
前記評価値が前記現用基準値より小さい場合に、前記評価値算定手段は、現在受信品質範囲が、より受信品質がよい範囲であるほど、より大きく前記評価値が増加するように定まる更新量を、前記評価値の算定に用い、
前記評価値が前記現用基準値より大きい場合に、前記評価値算定手段は、現在受信品質範囲が、より受信品質が良い範囲であるほど、より大きく前記評価値が減少するように定まる更新量を、前記評価値の算定に用いることを特徴とするラジオ放送受信装置。
【請求項７】
請求項３、４、５または６記載のラジオ放送受信装置であって、
前記評価値が前記現用基準値より大きい場合に、前記評価値算定手段は、前記評価値が前記現用基準値より小さくならない範囲において、前記評価値を更新し、
前記評価値が前記現用基準値より小さい場合に、前記評価値算定手段は、前記評価値が前記現用基準値より大きくならない範囲において、前記評価値を更新することを特徴とするラジオ放送受信装置。
【請求項８】
請求項１、２、３、４、５、６または７記載のラジオ放送受信装置であって、
前記ラジオ放送は、デジタルラジオ放送とアナログラジオ放送とのうちの少なくとも一方であることを特徴とするラジオ放送受信装置。
【請求項９】
請求項１、２、３、４、５、６、７または８記載のラジオ放送受信装置であって、
当該ラジオ放送受信装置は自動車に搭載された車載型のラジオ放送受信装置であり、前記ＩＰラジオプレイヤは移動通信を介してＩＰラジオ放送を受信することを特徴とするラジオ放送受信装置。
【請求項１０】
ラジオ放送と、当該ラジオ放送とサイマル放送の関係にあるＩＰラジオ放送とを受信可能なラジオ放送受信装置において、出力する音声を、前記ラジオ放送の受信音声から前記ＩＰラジオ放送の受信音声にシームレスに切り替えるシームレス切替方法であって、
前記ラジオ放送受信装置が、良否の度合いを表す評価値を算定する評価値算定ステップと、
前記ラジオ放送受信装置が、前記ラジオ放送の受信音声を出力しているときに、前記評価値が、所定の程度より良否の度合いが悪いことを表すようになったときに、受信音声を出力しているラジオ放送とサイマル放送の関係にあるＩＰラジオ放送の受信を開始し、前記ラジオ放送に対する前記ＩＰラジオ放送の遅延時間分、出力する前記ラジオ受信部の受信音声を遅延させた上で、出力する受信音声を、前記ラジオ放送の受信音声から、前記ＩＰラジオの受信音声に切り替えさせるシームレス切替ステップとを有し、
前記評価値算定ステップは、各時点において、受信品質のレベルと複数の基準値との所定の対応関係に従って、前記評価値を、当該時点における前記ラジオ放送の受信品質のレベルである現在受信品質レベルに対応する基準値である現用基準値に近づく方向に当該評価値を所定の更新量、変化させることにより、当該評価値を算定し、
前記基準値は特定の良否の度合いを表すものであり、前記所定の対応関係は、より良い受信品質のレベルが、より良い良否の度合いを表す基準値に対応する関係であることを特徴とするシームレス切替方法。
【請求項１１】
請求項１０記載のシームレス切替方法であって、
前記評価値が前記現用基準値より、より良い良否の度合いを表している場合に、前記評価値算定ステップにおいて、現在受信品質レベルが、より受信品質が悪いレベルであるほど、より大きく前記評価値が変化するように定まる更新量を、前記評価値の算定に用い、
前記評価値が前記現用基準値より、より悪い良否の度合いを表している場合に、前記評価値算定ステップにおいて、現在受信品質レベルが、より受信品質が良いレベルであるほど、より大きく前記評価値が変化するように定まる更新量を、前記評価値の算定に用いることを特徴とするシームレス切替方法。
【発明の詳細な説明】
【技術分野】
【０００１】
本発明は、ラジオ放送受信装置において、受信音声を出力中の放送から、当該放送と同内容の放送を行っている他の放送の受信音声に、出力する音声を切り替える技術に関するものである。
【背景技術】
【０００２】
ラジオ放送受信装置において、受信音声を出力中の放送から、当該放送と同内容の放送を行っている他の放送(受信音声を出力中の放送とサイマル放送の関係にある放送)の受信音声に、出力する音声を切り替える技術としては、ＦＭ放送と、ＦＭ放送とサイマル放送の関係にあるＩＰラジオ放送とを受信するラジオ放送受信装置において、ＦＭ放送で受信した音声からＩＰラジオ放送で受信した音声に出力する音声を切り替える際に、ＦＭ放送で受信した音声に対するＩＰラジオ放送で受信した音声の遅延時間を算出し、ＦＭ放送で受信した音声を時間軸方向に音声を拡大するタイムストレッチにより、算出した遅延時間分、遅延させた上で、出力する音声をＦＭ放送で受信した音声からＩＰラジオ放送で受信した音声に切り替えることにより、シームレスに受信音声を出力する放送を切り替える技術が知られている（たとえば、特許文献１）。
【０００３】
ここで、この技術では、ＩＰラジオ放送で受信した音声と、ＦＭ放送で受信した音声とを比較して、ＦＭ放送で受信した音声に対するＩＰラジオ放送で受信した音声の遅延時間を算出している。
【０００４】
また、受信音声を出力中の放送から、当該放送とサイマル放送の関係にある他の受信音声に、出力する音声を切り替える技術としては、ラジオ放送と、ラジオ放送とサイマル放送の関係にある、移動通信網を介して配信される放送とを受信するラジオ放送受信装置において、受信音声を出力しているラジオ放送の受信品質が所定の基準値より劣化したときに、移動通信網を介して配信される放送の受信を開始し、移動通信網を介して配信される放送の受信音声に、出力する音声を切り替える技術も知られている（たとえば、特許文献２）。
【先行技術文献】
【特許文献】
【０００５】
【特許文献１】特開２０１３-２０１４６９号公報
【特許文献２】特開２００３-１６９３８０号公報
【発明の概要】
【発明が解決しようとする課題】
【０００６】
受信音声を出力中のＦＭ放送の受信品質が劣化したときに、当該ＦＭ放送とサイマル放送の関係にあるＩＰラジオ放送の受信音声に、出力する音声をシームレスに切り替えるためには、ＦＭ放送を正常に受信できなくなる時点よりも、ＦＭ放送に対するＩＰラジオ放送の遅延時間の算出処理やＦＭ放送の受信音声のタイムストレッチによる遅延処理に必要な時間以上前の時点において、ＩＰラジオ放送の受信を開始する必要がある。
【０００７】
そして、このＩＰラジオ放送の受信を開始する時点を適切に設定できなかった場合には次のような問題がある。
すなわち、適切な時点より後の時点においてＩＰラジオ放送の受信を開始した場合には、シームレスに受信音声を出力する放送を切り替えることができなくなる。一方、適切な時点より前の時点においてＩＰラジオ放送の受信を開始した場合には、ＩＰラジオ放送の受信時間が冗長となり、ＩＰラジオ放送を従量制課金が行われる通信サービスを利用して受信している場合におけるユーザの通信費の負担が不要に増大する。また、ＩＰラジオ放送の受信を開始した後に、ＦＭ放送を正常に受信できなくならずにＦＭ放送の受信品質が復帰した場合にも、不要なＩＰラジオ放送の受信を行ったこととなり、本来不要なユーザの通信費の負担が発生する。
【０００８】
そこで、本発明は、受信音声を出力中のラジオ放送の受信品質が劣化したときに、当該放送とサイマル放送の関係にあるＩＰラジオ放送の受信音声に、出力する音声をシームレスに切り替えるラジオ受信装置において、ＩＰラジオ放送の受信開始時点を適切に設定することを課題とする。
【課題を解決するための手段】
【０００９】
前記課題達成のために、本発明は、ラジオ放送と、当該ラジオ放送とサイマル放送の関係にあるＩＰラジオ放送とを受信可能なラジオ放送受信装置に、前記ラジオ放送を受信するラジオ受信部と、前記ＩＰラジオ放送を受信するＩＰラジオプレイヤと、前記ラジオ受信部の受信音声と前記ＩＰラジオプレイヤの受信音声とのうちの一方の受信音声を出力する出力手段と、前記出力手段が出力する前記ラジオ受信部の受信音声を遅延する遅延手段と、良否の度合いを表す評価値を算定する評価値算定手段と、前記出力手段が前記ラジオ受信部の受信音声を出力している期間中に、前記評価値が、所定の程度より良否の度合いが悪いことを表すようになったときに、前記ＩＰラジオプレイヤに、受信音声を出力しているラジオ放送とサイマル放送の関係にあるＩＰラジオ放送の受信を開始させ、前記遅延手段に、前記ラジオ放送に対する前記ＩＰラジオ放送の遅延時間分、前記出力手段が出力する前記ラジオ受信部の受信音声を遅延させた上で、前記出力手段に、出力する受信音声を、前記ラジオ受信部の受信音声から、前記ＩＰラジオプレイヤの受信音声に切り替えさせるシームレス切替制御手段とを備えたものである。ここで、前記評価値算定手段は、各時点において、受信品質のレベルと複数の基準値との所定の対応関係に従って、当該時点における前記ラジオ受信部の前記ラジオ放送の受信品質のレベルである現在受信品質レベルに対応する基準値である現用基準値に近づく方向に前記評価値を所定の更新量、変化させることにより、当該評価値を算定する。また、前記基準値は特定の良否の度合いを表すものであり、前記所定の対応関係は、より良い受信品質のレベルが、より良い良否の度合いを表す基準値に対応する関係とする。
【００１０】
ここで、このようなラジオ放送受信装置は、前記評価値が前記現用基準値より、より良い良否の度合いを表している場合に、前記評価値算定手段において、現在受信品質レベルが、より受信品質が悪いレベルであるほど、より大きく前記評価値が変化するように定まる更新量を、前記評価値の算定に用い、前記評価値が前記現用基準値より、より悪い良否の度合いを表している場合に、前記評価値算定手段において、現在受信品質レベルが、より受信品質が良いレベルであるほど、より大きく前記評価値が変化するように定まる更新量を、前記評価値の算定に用いるように構成してもよい。
【００１１】
また、前記課題達成のために、本発明は、ラジオ放送と、当該ラジオ放送とサイマル放送の関係にあるＩＰラジオ放送とを受信可能なラジオ放送受信装置に、前記ラジオ放送を受信するラジオ受信部と、前記ＩＰラジオ放送を受信するＩＰラジオプレイヤと、前記ラジオ受信部の受信音声と前記ＩＰラジオプレイヤの受信音声とのうちの一方の受信音声を出力する出力手段と、前記出力手段が出力する前記ラジオ受信部の受信音声を遅延する遅延手段と、
評価値を算定する評価値算定手段と、前記出力手段が前記ラジオ受信部の受信音声を出力している期間中に、前記評価値が、所定のしきい値より小さくなったときに、前記ＩＰラジオプレイヤに、受信音声を出力しているラジオ放送とサイマル放送の関係にあるＩＰラジオ放送の受信を開始させ、前記遅延手段に、前記ラジオ放送に対する前記ＩＰラジオ放送の遅延時間分、前記出力手段が出力する前記ラジオ受信部の受信音声を遅延させた上で、前記出力手段に、出力する受信音声を、前記ラジオ受信部の受信音声から、前記ＩＰラジオプレイヤの受信音声に切り替えさせるシームレス切替制御手段とを備えたものである。ここで、前記評価値算定手段は、各時点において、受信品質の範囲と複数の基準値との所定の対応関係に従って、前記評価値を、当該時点における前記ラジオ受信部の前記ラジオ放送の受信品質が含まれる受信品質の範囲である現在受信品質範囲に対応する基準値である現用基準値に近づく方向に当該評価値を所定の更新量、変化させることにより、当該評価値を算定する。また、前記所定の対応関係は、より良い受信品質の範囲が、より大きい基準値に対応する関係とする。
【００１２】
ここで、このようなラジオ放送受信装置は、前記評価値が前記現用基準値より大きい場合に、前記評価値算定手段において、現在受信品質範囲が、より受信品質が悪い範囲であるほど、より大きく前記評価値が減少するように定まる更新量を、前記評価値の算定に用い、前記評価値が前記現用基準値より小さい場合に、前記評価値算定手段において、現在受信品質範囲が、より受信品質が良い範囲であるほど、より大きく前記評価値が増加するように定まる更新量を、前記評価値の算定に用いるように構成してもよい。
【００１３】
また、このようなラジオ放送受信装置は、前記評価値が前記現用基準値より大きい場合に、前記評価値算定手段において、前記評価値が前記現用基準値より小さくならない範囲において、前記評価値を更新し、前記評価値が前記現用基準値より小さい場合に、前記評価値算定手段において、前記評価値が前記現用基準値より大きくならない範囲において、前記評価値を更新するように構成してもよい
なお、このようなラジオ放送受信装置において、基準値や評価値の数値の大小の方向は逆転するようにしてもよい。
【００１４】
すなわち、シームレス切替制御手段を、前記評価値が、所定のしきい値より大きくなったときに、前記ＩＰラジオプレイヤに、受信音声を出力しているラジオ放送とサイマル放送の関係にあるＩＰラジオ放送の受信を開始させ、前記遅延手段に、前記ラジオ放送に対する前記ＩＰラジオ放送の遅延時間分、前記出力手段が出力する前記ラジオ受信部の受信音声を遅延させた上で、前記出力手段に、出力する受信音声を、前記ラジオ受信部の受信音声から、前記ＩＰラジオプレイヤの受信音声に切り替えさせるものとし、前記所定の対応関係を、より良い受信品質の範囲が、より小さい基準値に対応する関係としてよい。
【００１５】
また、この場合には、前記評価値が前記現用基準値より小さい場合に、前記評価値算定手段において、現在受信品質範囲が、より受信品質がよい範囲であるほど、より大きく前記評価値が増加するように定まる更新量を、前記評価値の算定に用い、前記評価値が前記現用基準値より大きい場合に、前記評価値算定手段において、現在受信品質範囲が、より受信品質が良い範囲であるほど、より大きく前記評価値が減少するように定まる更新量を、前記評価値の算定に用いるよう構成してよい。
【００１６】
また、この場合においても、前記評価値が前記現用基準値より大きい場合に、前記評価値算定手段において、前記評価値が前記現用基準値より小さくならない範囲において、前記評価値を更新し、前記評価値が前記現用基準値より小さい場合に、前記評価値算定手段において、前記評価値が前記現用基準値より大きくならない範囲において、前記評価値を更新するようにしてよい。
【００１７】
ここで、以上のようなラジオ放送受信装置は、前記ラジオ放送を、デジタルラジオ放送とアナログラジオ放送とのうちの少なくとも一方として良い。
また、以上のようなラジオ放送受信装置は自動車に搭載された車載型のラジオ放送受信装置であってよく、前記ＩＰラジオプレイヤは移動通信を介してＩＰラジオ放送を受信するものであってよい。
【００１８】
以上のようなラジオ受信装置によれば、現在までの受信品質の良否の傾向を表す評価値を算定し、当該評価値を用いて、ＩＰラジオ放送の受信を開始する時点を定めることができる。
【００１９】
そして、受信品質の良否の傾向を考慮することにより、現時点の受信品質のみに応じて、ＩＰラジオ放送の受信を開始するよりも、適切な時点で、ＩＰラジオ放送の受信を開始することができるようになる。
【発明の効果】
【００２０】
以上のように、本発明によれば、受信音声を出力中のラジオ放送の受信品質が劣化したときに、当該放送とサイマル放送の関係にあるＩＰラジオ放送の受信音声に、出力する音声をシームレスに切り替えるラジオ受信装置において、ＩＰラジオ放送の受信開始時点を適切に設定することができる。
【図面の簡単な説明】
【００２１】
【図１】本発明の実施形態に係るラジオ放送システムの構成を示すブロック図である。
【図２】本発明の実施形態に係るラジオ放送受信機の構成を示すブロック図である。
【図３】本発明の実施形態に係るカウンタ制御テーブルを示すである。
【図４】本発明の実施形態に係るカウンタ更新処理を示すフローチャートである。
【図５】本発明の実施形態に係るシームレス切替処理を示すフローチャートである。
【図６】本発明の実施形態に係る遅延処理の処理例を示す図である。
【図７】本発明の実施形態に係るカウンタの値と受信品質の関係を示す図である。
【発明を実施するための形態】
【００２２】
以下、本発明の実施形態について説明する。
図１に、本実施形態に係るラジオ放送システムの構成を示す。
図示するように、ラジオ放送受信機１は、自動車に搭載されるラジオ放送受信機１やポータブルラジオ放送受信機などの位置が移動するラジオ放送受信機１であり、ラジオ放送局２からの放送波によるラジオ放送の受信を行う。なお、放送波によるラジオ放送としては、ＤＡＢ、ＤＡＢ＋などのデジタルラジオ放送や、ＦＭラジオ放送などのアナログラジオ放送等がある。また、ラジオ放送受信機１は、移動通信を介してインターネットなどのＷＡＮ３に接続しＷＡＮ３上のＩＰラジオサーバ４からＩＰラジオ放送を受信する。
【００２３】
ここで、以下では、便宜上、「ラジオ放送」は、ＩＰラジオ放送ではない、放送波によるラジオ放送を指すものとして説明を行う。
さて、ＩＰラジオサーバ４が行うＩＰラジオ放送には、ラジオ放送とサイマル放送の関係にあるＩＰラジオ放送、すなわち、ラジオ放送と同内容の放送が行われるＩＰラジオ放送が含まれる。
【００２４】
なお、本実施形態では、ラジオ放送とサイマル放送の関係にあるＩＰラジオ放送から受信される音声は、必ず、当該ＩＰラジオ放送がサイマル放送の関係にあるラジオ放送で放送される音声よりも遅延しているものとする。
【００２５】
次に、図２に、ラジオ放送受信機１の構成を示す。
図示するように、ラジオ放送受信機１は、ラジオ放送を受信し、受信したオーディオデータを再生出力するラジオチューナ１０１、ＩＰラジオ放送を受信し受信したオーディオデータを出力するＩＰラジオプレイヤ１０２を備えている。
【００２６】
ここで、ＩＰラジオプレイヤ１０２は、移動通信を行う移動通信装置１０３を介してＷＡＮ３上のＩＰラジオサーバ４に接続し、ＩＰラジオサーバ４がＩＰラジオ放送で配信しているオーディオストリームを受信し、オーディオデータを再生出力する。ただし、ラジオ放送受信機１に、移動通信装置１０３を備える代わりに、移動通信を行うモバイルフォン５を接続する外部インタフェース１０４を設け、ＩＰラジオプレイヤ１０２において、モバイルフォン５が行う移動通信を介してＷＡＮ３上のＩＰラジオサーバ４に接続し、ＩＰラジオサーバ４がＩＰラジオ放送で配信しているオーディオストリームを受信し再生出力するように構成してもよい。
【００２７】
また、ラジオ放送受信機１は、入力装置１０５、表示装置１０６、制御部１０７を備えている。
また、ラジオ放送受信機１は、ラジオチューナ１０１が出力するオーディオデータを設定された遅延目標時間分、遅延させて出力する遅延部１０８、遅延部１０８から出力されるオーディオデータとＩＰラジオプレイヤ１０２が出力するオーディオデータの一方を選択し出力するセレクタ１０９、セレクタ１０９が出力するオーディオデータをアナログ音声信号に変換し出力するＤＡ変換部１１０、ＤＡ変換部１１０が出力するアナログ音声信号を増幅するアンプ１１１、アンプ１１１が増幅した音声信号で駆動され音声を出力するスピーカ１１２を備えている。
【００２８】
また、ラジオ放送受信機１は、チューナ用メモリ１１３、プレイヤ用メモリ１１４、比較部１１５を備えている。
さて、このような構成において、制御部１０７は、入力装置１０５を介してユーザから特定のラジオ放送局２のラジオ放送の受信を指示されると、ラジオチューナ１０１に受信を指示されたラジオ放送局２のラジオ放送の受信と、オーディオデータの出力を開始させる。また、制御部１０７は、セレクタ１０９に遅延部１０８から入力するオーディオデータをＤＡ変換部１１０に出力させることにより、ラジオチューナ１０１でラジオ放送局２から受信した音声をスピーカ１１２から出力する。
【００２９】
一方、ラジオチューナ１０１から出力されたオーディオデータはチューナ用メモリ１１３に格納される。ここで、チューナ用メモリ１１３への格納は、常時、チューナ用メモリ１１３に所定再生時間分の最新のオーディオデータが格納されている状態となるように行われる。また、チューナ用メモリ１１３に常時格納するオーディオデータの再生時間は、ラジオ放送に対する、当該ラジオ放送とサイマル放送の関係にあるＩＰラジオ放送の遅延時間の最大値として見込まれる時間以上となるように設定されている。
【００３０】
また、ラジオチューナ１０１は、ラジオ放送の受信中、受信中のラジオ放送の受信品質を、受信中のラジオ放送の受信電界強度や、ＳＮ比や、誤り発生率などより算定する処理も行う。
【００３１】
ここでラジオチューナ１０１は、０から１００までの数値として受信品質を算定し、この数値は、その値が大きいほど受信品質が良好であることを表す。
次に、制御部１０７が行うカウンタ更新処理について説明する。
まず、カウンタ更新処理に用いるカウンタ制御テーブルについて説明する。
図３に示すように、カウンタ制御テーブルには、ラジオ放送の受信品質の値である０から１００の間を複数に区切って得られる各範囲を表す品質レンジ毎に、減少ステップと増加ステップとレンジ評価値が登録されている。
【００３２】
ここで、各品質レンジの減少ステップには、０から-１２０までの間の０または負の数値が登録されている。また、各品質レンジの減少ステップには、より小さい受信品質の範囲を表す品質レンジほど、より小さい数値が登録されている。
【００３３】
また、各品質レンジの増加ステップには、０から+１０までの間の０または正の数値が登録されている。また、各品質レンジの増加ステップには、より大きい受信品質の範囲を表す品質レンジほど、より大きい数値が登録されている。
【００３４】
そして、各品質レンジのレンジ評価値には０から４８０までの間の正の数値が登録されている。各品質レンジのレンジ評価値には、より小さい受信品質の範囲を表す品質レンジほど、より小さい数値が登録されている。
【００３５】
次に、このようなカウンタ制御テーブルを用いて制御部１０７が行うカウンタ更新処理の手順を図４に示す。
ここで、このカウンタ更新処理は、ラジオチューナ１０１に放送局のラジオ放送の受信を開始させたときや、ラジオチューナ１０１にラジオ放送を受信させる放送局を切り替えたときに開始する。なお、ラジオチューナ１０１に放送局のラジオ放送の受信を開始させたときや、ラジオチューナ１０１にラジオ放送を受信させる放送局を切り替えたときに、既に、カウンタ更新処理を実行している場合には、実行しているカウンタ更新処理を終了した上で、新たにカウンタ更新処理の実行を開始する。
【００３６】
さて、図４に示すように、制御部１０７はカウンタ更新処理において、カウンタ値CVをカウンタ制御テーブルに登録されているレンジ評価値の最大値である４８０に設定する（ステップ４０２）。
【００３７】
そして、次に、ラジオチューナ１０１からラジオチューナ１０１が算定している受信品質Qを取得する（ステップ４０４）。
次に、カウンタ制御テーブルから、取得した受信品質Qが含まれる受信品質の範囲を表す品質レンジRQに登録されているレンジ評価値ReRQを取得する（ステップ４０６）。
そして、取得したレンジ評価値ReRQがカウンタ値CVより小さいか（ステップ４０８）、または、取得したレンジ評価値ReRQがカウンタ値CVより大きいか（ステップ４１０）を判定する。
【００３８】
そして、レンジ評価値ReRQがカウンタ値CVより小さくも大きくもない場合、すなわち、レンジ評価値ReRQがカウンタ値CVと等しい場合には、そのままステップ４０４からの処理に戻る。
【００３９】
次に、レンジ評価値ReRQがカウンタ値CVより小さい場合には（ステップ４０８）、カウンタ制御テーブルから、取得した受信品質Qが含まれる受信品質の範囲を表す品質レンジRQに登録されている減少ステップDSRQを取得し（ステップ４１２）、カウンタ値CVに減少ステップDSRQを加算した値が、レンジ評価値ReRQより小さいかどうかを調べ（ステップ４１４）、小さい場合には、ステップ４０４からの処理に戻る。
【００４０】
ここで、上述のように減少ステップは０または負の値であるので、減少ステップDSRQの加算によって、カウンタ値CVは変わらないか、または、減少する。
一方、カウンタ値CVに減少ステップDSRQを加算した値が、レンジ評価値ReRQより小さくなければ（ステップ４１４）、カウンタ値CVを、当該カウンタ値CVに減少ステップDSRQを加算した値に更新する（ステップ４１６）。
【００４１】
そして、ステップ４０４からの処理に戻る。
一方、レンジ評価値ReRQがカウンタ値CVより大きい場合には（ステップ４１０）、カウンタ制御テーブルから、取得した受信品質Qが含まれる受信品質の範囲を表す品質レンジRQに登録されている増加ステップISRQを取得し（ステップ４１８）、カウンタ値CVに増加ステップISRQを加算した値が、レンジ評価値ReRQより大きいかどうかを調べ（ステップ４２０）、大きい場合には、ステップ４０４からの処理に戻る。
【００４２】
ここで、上述のように増加ステップは０または正の値であるので、増加ステップISRQの加算によって、カウンタ値CVは変わらないか、または、増加する。
一方、カウンタ値CVに増加ステップISRQを加算した値が、レンジ評価値ReRQより大きくない場合には（ステップ４２０）、カウンタ値CVを、当該カウンタ値CVに増加ステップISRQを加算した値に更新する（ステップ４２２）。
【００４３】
そして、ステップ４０４からの処理に戻る。
以上、制御部１０７が行うカウンタ更新処理について説明した。
このようなカウンタ更新処理によれば、各時点において、カウンタ値CVが、当該時点の受信品質Qが含まれる受信品質の範囲を表す品質レンジRQに登録されているレンジ評価値ReRQに近づくように、受信品質Qが含まれる受信品質の範囲を表す品質レンジRQに応じた更新ステップ（増加ステップ、または、減少ステップ）で更新される。また、カウンタ値CVを減少させる場合には、このカウンタ値CVの更新ステップ（減少ステップ）の大きさ（絶対値）は、受信品質Qが小さいほど大きくなり、カウンタ値CVを増加する場合には、このカウンタ値CVの更新ステップ（増加ステップ）の大きさ（絶対値）は、受信品質Qが大きいほど大きくなる。
【００４４】
次に、制御部１０７が、スピーカ１１２に出力する音声を、ラジオ放送で受信した音声と当該ラジオ放送とサイマル放送の関係にあるＩＰラジオ放送で受信した音声との間でシームレスに切り替えるために行うシームレス切替処理について説明する。
【００４５】
図５に、このシームレス切替処理の手順を示す。なお、シームレス切替処理は、ユーザから特定のラジオ放送局２のラジオ放送の受信を指示されたときに起動される。
図示するように、この処理では、ラジオ放送受信機１の状態が、ラジオ放送の音声をスピーカ１１２から出力している状態となるのを待ち（ステップ５０２）、ラジオ放送の音声をスピーカ１１２から出力している状態となったならば、カウンタ値CVが所定のしきい値ThS（ThSは、図３のカウンタ制御テーブルに対してたとえば２２０）未満となるのを監視する（ステップ５０４）。
【００４６】
そして、カウンタ値CVが所定のしきい値ThS未満となったならば（ステップ５０４）、ＩＰラジオプレイヤ１０２の、音声を出力中のラジオ放送とサイマル放送の関係にあるＩＰラジオ放送の受信の開始を指示する（ステップ５０６）。受信の開始を指示されたＩＰラジオプレイヤ１０２は、移動通信を介してＷＡＮ３に接続して、ＩＰラジオサーバ４からのＩＰラジオ放送の受信のを開始する。そして、ＩＰラジオプレイヤ１０２は、ＩＰラジオ放送で受信したオーディオデータを、セレクタ１０９に出力すると共にプレイヤ用メモリ１１４に格納する。
【００４７】
また、制御部１０７は、遅延処理を開始する（ステップ５０８）。
ここで、遅延処理において、制御部１０７は、以下の処理を行う。
いま、所定時間長（たとえば、２ms）の再生時間を単位時間として、図６中の、数字を囲む各四角形は、単位時間分のオーディオデータを表している。また、「‘」無しの数字を囲む四角形は、ラジオチューナ１０１がラジオ放送で受信したオーディオデータを、「‘」付きの数字を囲む四角形は、ＩＰラジオプレイヤ１０２がＩＰラジオラジオ放送で受信したオーディオデータを表している。また、各四角形中の数字の値が等しい四角形は（たとえば、「４」と「 ４'」）は、同内容のオーディオデータを表している。
【００４８】
制御部１０７は、ステップ５０６において、時刻T1で、ＩＰラジオ放送の受信の開始を制御したならば、遅延処理を開始し、比較部１１５に遅延時間の算出を指示する。
比較部１１５は遅延時間の算出を指示されたならば、時刻T2でのＩＰラジオ放送からのオーディオデータの実際の受信開始を待って、チューナ用メモリ１１３に格納されているオーディオデータと、プレイヤ用メモリ１１４に格納されたオーディオデータとの比較による、ＩＰラジオ放送のオーディオデータのラジオ放送のオーディオデータに対する遅延時間の算出を行い、算出した遅延時間を制御部１０７に通知する。
【００４９】
そして、時刻T3において、遅延時間の通知を受けた制御部１０７は、通知された遅延時間を遅延目標時時間として遅延部１０８に設定し、タイムストレッチの実行を指示する。
タイムストレッチの実行を指示されたた遅延部１０８は、設定された遅延目標時間と、遅延部１０８から出力されるオーディオデータの遅延部１０８に入力するオーディオデータに対する遅延時間とが一致するまで、出力するオーディオデータをタイムストレッチする。すなわち、時刻T3から時刻T4間の遅延部出力に示されるように、遅延部１０８は、設定された遅延目標時間と、遅延部１０８から出力されるオーディオデータの遅延部１０８に入力するオーディオデータに対する遅延時間が一致するまで、オーディオデータを当該オーディオデータの音声のピッチを維持したまま時間軸方向に拡大して出力するタイムストレッチ動作を行う。
【００５０】
なお、オーディオデータのタイムストレッチは、オーディオデータの時間軸方向の長さが元の長さに対して所定の長さ（たとえば、元の長さの２０％）以上変化しないように行う。
【００５１】
そして、遅延部１０８は、設定された遅延目標時間と、遅延部１０８から出力されるオーディオデータの遅延部１０８に入力するオーディオデータに対する遅延時間が一致したならば、タイムストレッチを停止して通常の再生速度によるオーディオデータの出力に復帰すると共に、遅延時間の一致を制御部１０７に報告する。
【００５２】
そして、制御部１０７は、遅延時間の一致を報告されたならば遅延処理を完了する。
したがって、時刻T1で開始された遅延処理は、時刻T4で完了する。
そして、時刻T4で遅延処理が完了した以降は、図示するように、ＩＰラジオプレイヤ１０２が出力するオーディオデータと、遅延部１０８が出力するオーディオデータの遅延時間の差はなくなるので、セレクタ１０９がＤＡ変換部１１０に出力するオーディオデータをＩＰラジオプレイヤ１０２から入力するオーディオデータと遅延部１０８から入力するオーディオデータとの間で切り替えることにより、スピーカ１１２から出力する音声の、ラジオチューナ１０１がラジオ放送で受信したオーディオデータの音声とＩＰラジオプレイヤ１０２が受信したオーディオデータの音声との間でのシームレスな切り替えを行うことができるようになる。
【００５３】
さて、図５に戻り、制御部１０７は遅延処理を開始したならば（ステップ５０８）、カウンタ値CVのしきい値ThR（ThRは図３のカウンタ制御テーブルに対してたとえば３６０）超への変化（ステップ５１０）と、カウンタ値CVのしきい値ThC（ThCは図３のカウンタ制御テーブルに対してたとえば２０）未満への変化（ステップ５１２）と、遅延処理の完了（ステップ５１４）を監視する。
【００５４】
なお、ThR、ThS、ThC は、ThR＞ThS＞ThCの関係にある。
そして、カウンタ値CVのしきい値ThR超への変化が発生したならば（ステップ５１０）、ＩＰラジオプレイヤ１０２にＩＰラジオ放送の受信を停止させ（ステップ５２２）、ステップ５０４からの処理に戻る。ここで、ＩＰラジオプレイヤ１０２は、ＩＰラジオ放送の受信を停止する際に、移動通信装置１０３またはモバイルフォン５のＷＡＮ３との間の移動通信を切断する。
【００５５】
一方、カウンタ値CVのしきい値ThC未満への変化が発生した場合には（ステップ５１２）、セレクタ１０９がＤＡ変換部１１０に出力するオーディオデータをＩＰラジオプレイヤ１０２が出力するオーディオデータに切り替えることにより、スピーカ１１２から出力する音声を、ＩＰラジオプレイヤ１０２がＩＰラジオ放送から受信しているオーディオデータの音声に切り替え（ステップ５１６）、ステップ５１８に進む。ここで、このように、ステップ５１２からステップ５１６に進んだ場合は、この時点で、遅延処理は完了していないので、スピーカ１１２から出力する音声の、ラジオ放送で受信したオーディオデータの音声からＩＰラジオプレイヤ１０２が受信したオーディオデータの音声への切り替えはシームレスには行われない。
【００５６】
なお、ステップ５１６でスピーカ１１２に出力する音声を、ＩＰラジオプレイヤ１０２がＩＰラジオ放送から受信しているオーディオデータの音声に切り替えた後も、受信していたラジオ放送の受信はラジオチューナ１０１にバックグランドで継続させる。
【００５７】
一方、遅延処理の完了が発生した場合には（ステップ５１４）、セレクタ１０９がＤＡ変換部１１０に出力するオーディオデータをＩＰラジオプレイヤ１０２が出力するオーディオデータに切り替えることにより、スピーカ１１２から出力する音声を、ＩＰラジオプレイヤ１０２がＩＰラジオ放送から受信しているオーディオデータの音声に切り替え（ステップ５１６）、ステップ５１８に進む。ここで、このように、ステップ５１４からステップ５１６に進んだ場合は、この時点で、遅延処理は完了しており、遅延部１０８が、ラジオ放送で受信したオーディオデータに対するＩＰラジオ放送で受信したオーディオデータの遅延時間分、ラジオ放送で受信したオーディオデータを遅延させて出力している状態となっているので、ステップ５１６の切り替えにより、スピーカ１１２から出力する音声が、ラジオ放送で受信したオーディオデータの音声からＩＰラジオプレイヤ１０２が受信したオーディオデータの音声に、シームレスに切り替わる。
【００５８】
なお、上述ようにスピーカ１１２に出力する音声を、ＩＰラジオプレイヤ１０２がＩＰラジオ放送から受信しているオーディオデータの音声に切り替えた後も、受信していたラジオ放送の受信はバックグランドでラジオチューナ１０１に継続させる。
【００５９】
さて、次に、以上のようにして、スピーカ１１２に出力する音声を、ＩＰラジオプレイヤ１０２がＩＰラジオ放送から受信している音声に切り替えたならば、カウンタ値CVがしきい値ThB超となるのを監視する（ステップ５１８）。
【００６０】
ここで、ThBは、ThB≧ThRとなるように設定している。
そして、カウンタ値CVがしきい値ThB超となったならば（ステップ５１８）、セレクタ１０９がＤＡ変換部１１０に出力するオーディオデータを遅延部１０８が出力するオーディオデータに切り替えることにより、スピーカ１１２に出力する音声を、ラジオチューナ１０１がラジオ放送から受信したオーディオデータの音声に切り替える（ステップ５２０）。ここで、この時点で、遅延部１０８は、ラジオ放送で受信したオーディオデータに対するＩＰラジオ放送で受信したオーディオデータの遅延時間分、ラジオ放送で受信したオーディオデータを遅延させて出力しているので、ステップ５２０の切り替えにより、スピーカ１１２から出力する音声が、ＩＰラジオプレイヤ１０２が出力するオーディオデータの音声から、ラジオ放送で受信したオーディオデータの音声にシームレスに切り替わる。
【００６１】
そして、ＩＰラジオプレイヤ１０２にＩＰラジオ放送の受信を停止させ（ステップ５２２）、ステップ５０４からの処理に戻る。ここで、ＩＰラジオプレイヤ１０２は、ＩＰラジオ放送の受信を停止する際に、移動通信装置１０３またはモバイルフォン５のＷＡＮ３との間の移動通信を切断する。
【００６２】
以上、制御部１０７が行うシームレス切替処理について説明した。
さて、ここで、受信品質Qとカウンタ値CVの関係を図７に示す。
図７ｂは、図７ａの受信品質Qの推移に対してカウンタ更新処理によって更新されるカウンタ値CVの推移を表している。
上述したように、カウンタ更新処理によれば、各時点において、カウンタ値CVが、当該時点の受信品質Qが含まれる受信品質の範囲を表す品質レンジRQに登録されているレンジ評価値ReRQに近づくように、受信品質Qが含まれる受信品質の範囲を表す品質レンジRQに応じた更新ステップ（増加ステップ、または、減少ステップ）で更新される。また、レンジ評価値ReRQは、より小さい受信品質Qの範囲を表すほど、より小さい数値となる。
【００６３】
したがって、図にも示されるように、カウンタ値CVは、現在までの受信品質Qの良否の傾向を表す値となる。そして、現在までの受信品質Qの良否の傾向と、ラジオ放送を正常に受信できなくなる時点との間には相関がある。
【００６４】
よって、カウンタ値CVを用いてＩＰラジオ放送の受信を開始する時点を定めることにより、その時点の受信品質のみに応じて、ＩＰラジオ放送の受信を開始する時点を定める場合よりも、適切な時点で、ＩＰラジオ放送の受信を開始することができるようになる。
【００６５】
すなわち、たとえば、ラジオ放送が正常に受信できなくなるときには、それ以前に、受信品質Qの良否の傾向は徐々に悪くなっていくことが多いが、カウンタ値CVを用いることにより、このような傾向を検出して、適切なタイミングで、ＩＰラジオ放送の受信を開始することができるようになる
なお、上述したしきい値ThR、ThBは、ラジオ放送が充分に良好に受信できると見なせる受信品質Qの良否の傾向の下限を表すカウンタ値CVの値とし、上述したしきいThCは、ラジオ放送が受信できない受信状況にあると見なせる受信品質Qの良否の傾向の上限を表すカウンタ値CVの値または当該値に幾分のオフセットを加えた値を設定する。
【００６６】
以上、本発明の実施形態について説明した。
ここで、以上の実施形態は、カウンタ値やレンジ評価値の大小の方向を逆転して実施するようにしても等価である。
すなわち、この場合には、カウンタ制御テーブルの各増加ステップと各減少ステップの値の正負を反転し、レンジ評価値に、より小さい受信品質Qの範囲ほど、より大きい数値を設定する。
【００６７】
そして、カウンタ更新処理のステップ４０２をカウンタ値CVを０に設定する処理とし、ステップ４０８を、レンジ評価値ReRQがカウンタ値CVより大きいかどうかを判定するステップとし、ステップ４１０をレンジ評価値ReRQがカウンタ値CVより小さいかどうかを判定するステップとする。
【００６８】
また、ThB≦ThR＜ThS＜ThCとし、シームレス切替処理のステップ５０４を、カウンタ値CVがしきい値ThS超となるのを監視する処理とし、ステップ５１０をカウンタ値CVのしきい値ThR未満への変化を監視する処理とし、ステップ５１２をカウンタ値CVのしきい値ThC超への変化を監視する処理とし、ステップ５１８をカウンタ値CVがしきい値ThB未満となるのを監視する処理とする。
【符号の説明】
【００６９】
１…ラジオ放送受信機、２…ラジオ放送局、３…ＷＡＮ、４…ＩＰラジオサーバ、５…モバイルフォン、１０１…ラジオチューナ、１０２…ＩＰラジオプレイヤ、１０３…移動通信装置、１０４…外部インタフェース、１０５…入力装置、１０６…表示装置、１０７…制御部、１０８…遅延部、１０９…セレクタ、１１０…ＤＡ変換部、１１１…アンプ、１１２…スピーカ、１１３…チューナ用メモリ、１１４…プレイヤ用メモリ、１１５…比較部。
【図１】
2018198411.tif 000003
【図２】
2018198411.tif 000004
【図３】
2018198411.tif 000005
【図４】
2018198411.tif 000006
【図５】
2018198411.tif 000007
【図６】
2018198411.tif 000008
【図７】
2018198411.tif 000009